【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
現実空間に重畳するための仮想空間の画像を生成する複合現実感提示方法であって、
前記仮想空間を構成する複数のオブジェクトの階層構造を示すデータを保持する保持工程と、
第１の描画方法で描画される第１の集合のオブジェクトと、第２の描画方法で描画される第２の集合のオブジェクトと、第３の描画方法で描画される第３の集合のオブジェクトとを、前記仮想空間を構成する複数のオブジェクトから特定する特定工程と、
前記保持工程で保持しているデータを参照して、前記特定工程で特定した前記第１の集合と前記第２の集合と前記第３の集合のそれぞれに含まれるオブジェクトにより形成される第１の階層構造と第２の階層構造と第３の階層構造を生成する生成工程と、
前記特定工程で特定した前記第１の集合に含まれる各オブジェクトを、当該集合に含まれる各オブジェクトに共通の描画方法により、前記生成工程で生成した前記第１の階層構造に従って、第１のバッファメモリに描画する第１の描画工程と、
前記第１の描画工程の後に、前記生成工程で生成した前記第２の階層構造と前記特定工程で特定した前記第１の集合の中に含まれる各オブジェクトに従って、前記特定工程で特定した前記第２の集合の中に含まれる各オブジェクトを、第２のバッファメモリに描画する第２の描画工程と、
前記第２の描画工程の後に、前記生成工程で生成した第３の階層構造に従って、前記特定工程で特定した第３の集合に含まれる各オブジェクトを、第２のバッファメモリに描画する第３の描画工程と、
前記第２のバッファメモリに描画されたデータを、表示手段に出力する出力工程と
を備えることを特徴とする複合現実感提示方法。
【請求項２】
前記現実空間の画像を撮影し、前記第１のバッファメモリの中に、前記撮影した画像を描画する入力工程を更に有し、
前記第１の描画工程は、前記入力工程による入力の後に実行されることを特徴とする請求項１に記載の複合現実感提示方法。
【請求項３】
前記第１のバッファメモリはＺバッファであり、前記第２のバッファメモリはフレームバッファであること特徴とする請求項１又は２に記載の複合現実感提示方法。
【請求項４】
前記第１の集合の中に含まれる各オブジェクトはマスクオブジェクトであり、前記第２の集合の中に含まれる各オブジェクトは通常仮想ＣＧオブジェクトであり、前記第３の集合の中に含まれる各オブジェクトは半透過オブジェクトであることを特徴とする請求項１乃至３の何れか１項に記載の複合現実感提示方法。
【請求項５】
前記表示手段はＨＭＤ型表示装置であることを特徴とする請求項１に記載の複合現実感提示方法。
【請求項６】
現実空間に重畳するための仮想空間の画像を生成する複合現実感提示装置であって、
前記仮想空間を構成する複数のオブジェクトの階層構造を示すデータを保持する保持手段と、
第１の描画方法で描画される第１の集合のオブジェクトと、第２の描画方法で描画される第２の集合のオブジェクトと、第３の描画方法で描画される第３の集合のオブジェクトとを、前記仮想空間を構成する複数のオブジェクトから特定する特定手段と、
前記保持手段が保持しているデータを参照して、前記特定手段が特定した前記第１の集合と前記第２の集合と前記第３の集合のそれぞれに含まれるオブジェクトにより形成される第１の階層構造と第２の階層構造と第３の階層構造を生成する生成手段と、
前記特定手段が特定した前記第１の集合に含まれる各オブジェクトを、当該集合に含まれる各オブジェクトに共通の描画方法により、前記生成手段が生成した前記第１の階層構造に従って、第１のバッファメモリに描画する第１の描画手段と、
前記第１の描画手段による描画処理の後に、前記生成手段が生成した前記第２の階層構造と前記特定手段が特定した前記第１の集合の中に含まれる各オブジェクトに従って、前記特定手段が特定した前記第２の集合の中に含まれる各オブジェクトを、第２のバッファメモリに描画する第２の描画手段と、
前記第２の描画手段による描画処理の後に、前記生成手段が生成した第３の階層構造に従って、前記特定手段が特定した第３の集合に含まれる各オブジェクトを、第２のバッファメモリに描画する第３の描画手段と、
前記第２のバッファメモリに描画されたデータを、表示手段に出力する出力手段と
を備えることを特徴とする複合現実感提示装置。
【請求項７】
コンピュータに請求項１乃至５の何れか１項に記載の複合現実感提示方法を実行させる為のプログラム。
【請求項８】
請求項７に記載のプログラムを格納したことを特徴とする、コンピュータ読み取り可能な記憶媒体。
【手続補正２】
【補正対象書類名】明細書
【補正対象項目名】００１５
【補正方法】変更
【補正の内容】
【００１５】
即ち、現実空間に重畳するための仮想空間の画像を生成する複合現実感提示方法であって、
前記仮想空間を構成する複数のオブジェクトの階層構造を示すデータを保持する保持工程と、
第１の描画方法で描画される第１の集合のオブジェクトと、第２の描画方法で描画される第２の集合のオブジェクトと、第３の描画方法で描画される第３の集合のオブジェクトとを、前記仮想空間を構成する複数のオブジェクトから特定する特定工程と、
前記保持工程で保持しているデータを参照して、前記特定工程で特定した前記第１の集合と前記第２の集合と前記第３の集合のそれぞれに含まれるオブジェクトにより形成される第１の階層構造と第２の階層構造と第３の階層構造を生成する生成工程と、
前記特定工程で特定した前記第１の集合に含まれる各オブジェクトを、当該集合に含まれる各オブジェクトに共通の描画方法により、前記生成工程で生成した前記第１の階層構造に従って、第１のバッファメモリに描画する第１の描画工程と、
前記第１の描画工程の後に、前記生成工程で生成した前記第２の階層構造と前記特定工程で特定した前記第１の集合の中に含まれる各オブジェクトに従って、前記特定工程で特定した前記第２の集合の中に含まれる各オブジェクトを、第２のバッファメモリに描画する第２の描画工程と、
前記第２の描画工程の後に、前記生成工程で生成した第３の階層構造に従って、前記特定工程で特定した第３の集合に含まれる各オブジェクトを、第２のバッファメモリに描画する第３の描画工程と、
前記第２のバッファメモリに描画されたデータを、表示手段に出力する出力工程と
を備えることを特徴とする。
【手続補正３】
【補正対象書類名】明細書
【補正対象項目名】００１７
【補正方法】変更
【補正の内容】
【００１７】
即ち、現実空間に重畳するための仮想空間の画像を生成する複合現実感提示装置であって、
前記仮想空間を構成する複数のオブジェクトの階層構造を示すデータを保持する保持手段と、
第１の描画方法で描画される第１の集合のオブジェクトと、第２の描画方法で描画される第２の集合のオブジェクトと、第３の描画方法で描画される第３の集合のオブジェクトとを、前記仮想空間を構成する複数のオブジェクトから特定する特定手段と、
前記保持手段が保持しているデータを参照して、前記特定手段が特定した前記第１の集合と前記第２の集合と前記第３の集合のそれぞれに含まれるオブジェクトにより形成される第１の階層構造と第２の階層構造と第３の階層構造を生成する生成手段と、
前記特定手段が特定した前記第１の集合に含まれる各オブジェクトを、当該集合に含まれる各オブジェクトに共通の描画方法により、前記生成手段が生成した前記第１の階層構造に従って、第１のバッファメモリに描画する第１の描画手段と、
前記第１の描画手段による描画処理の後に、前記生成手段が生成した前記第２の階層構造と前記特定手段が特定した前記第１の集合の中に含まれる各オブジェクトに従って、前記特定手段が特定した前記第２の集合の中に含まれる各オブジェクトを、第２のバッファメモリに描画する第２の描画手段と、
前記第２の描画手段による描画処理の後に、前記生成手段が生成した第３の階層構造に従って、前記特定手段が特定した第３の集合に含まれる各オブジェクトを、第２のバッファメモリに描画する第３の描画手段と、
前記第２のバッファメモリに描画されたデータを、表示手段に出力する出力手段と
を備えることを特徴とする。